(57)【要約】【課題】外部の商用電源からの電力供給が停止すると、平滑用のコンデンサの電荷が放電するまでスイッチングＩＣの発振停止状態を維持するためのラッチ回路が設けられている。ただし、故障の原因を除去し、再び外部の商用電源からの電力供給を再開させても、ラッチ回路に設けられている第２のコンデンサの電荷が放電されて発振停止状態が解除されるまでは、スイッチング電源装置を再び動作させることができない。【解決手段】ラッチ回路がスイッチングＩＣの発振を停止させ、かつ、上記商用電源からの電力供給が絶たれた状態で、上記第１のコンデンサの電荷量が上記スイッチングＩＣの作動に必要な最低限の電荷量を下回った場合に、上記第２のコンデンサを放電させ、発振停止状態を解除する強制放電回路部を設けた。【選択図】  図１
2019103290.tif 000002
【特許請求の範囲】
【請求項１】
外部の商用電源からの交流電力を整流する整流部と、この整流部で整流された電力を平滑化する第１のコンデンサとを備え、この第１のコンデンサを介して供給される平滑化された直流電力を基に発振して変圧トランスの１次側コイルに供給するスイッチングＩＣと、この変圧トランスの２次側に接続された２次側回路に異常が生じた場合に、１次側のスイッチングＩＣの発振を停止させる発振停止信号を生じさせ、かつ、上記外部電源からの電力供給が停止した後、この発振停止信号を一定時間保持させる第２のコンデンサを備えたラッチ回路部を有するスイッチング電源装置において、上記ラッチ回路がスイッチングＩＣの発振を停止させ、かつ、上記商用電源からの電力供給が絶たれた状態で、上記第１のコンデンサの電荷量が上記スイッチングＩＣの作動に必要な最低限の電荷量を下回った場合に、上記第２のコンデンサを放電させ、発振停止状態を解除する強制放電回路部を設けたことを特徴とするスイッチング電源装置。
【請求項２】
上記強制放電回路部は、上記第２のコンデンサを放電させる際に、合わせて上記第１のコンデンサを放電させることを特徴とする請求項１に記載のスイッチング電源装置。
【発明の詳細な説明】
【技術分野】
【０００１】
本発明は、２次側に異常が生じた場合に、スイッチングＩＣを停止させ、その停止状態を一定時間保持するラッチ機能を有するスイッチング電源装置に関する。
【背景技術】
【０００２】
外部の商用電源から供給される交流電力を整流して所定の電圧の直流電力を生成するスイッチング電源装置では、外部からの交流電力を整流した後、平滑化するコンデンサを備えている。一方、２次側にショート故障などの異常が生じた場合に、１次側に設けたスイッチングＩＣによる発振を停止させ、２次側に直流電力が発生しないようにする安全装置が設けられている（例えば、特許文献１参照）。そして、このスイッチングＩＣに対する発信停止状態を一定時間保持するために、上記平滑化用のコンデンサとは別の第２のコンデンサが設けられている（例えば、特許文献２参照）。
【先行技術文献】
【特許文献】
【０００３】
【特許文献１】特開２００７−１１６８９０号公報（図１）
【特許文献２】特開２０１５−１２６６５６号公報（図２）
【発明の概要】
【発明が解決しようとする課題】
【０００４】
上記のような異常が生じると、まず外部の商用電源からの電力供給を停止し、その後、故障の原因を解消し、故障の原因が解消された後に再び外部の商用電源からの電力供給を再開させる。このように外部の商用電源からの電力供給を停止している状態で、スイッチングＩＣに対する発振停止信号が消失すると、平滑化のためのコンデンサに蓄電されている電荷によってスイッチングＩＣが再び作動し、２次側に電力が発生してしまうという問題が生ずる。
【０００５】
そのため、外部の商用電源からの電力供給が停止すると、平滑用のコンデンサの電荷が放電するまでスイッチングＩＣの発振停止状態を維持するためのラッチ回路が設けられている。ただし、故障の原因を除去し、再び外部の商用電源からの電力供給を再開させても、ラッチ回路に設けられている上記第２のコンデンサの電荷が放電されて発振停止状態が解除されるまでは、スイッチング電源装置を再び動作させることができないという不具合が生じる。
【０００６】
そこで本発明は、上記の問題点に鑑み、スイッチングＩＣに対する発振停止状態を可及的に短くすることもできるスイッチング電源装置を提供することを課題とする。
【課題を解決するための手段】
【０００７】
上記課題を解決するために本発明によるスイッチング電源装置は、外部の商用電源からの交流電力を整流する整流部と、この整流部で整流された電力を平滑化する第１のコンデンサとを備え、この第１のコンデンサを介して供給される平滑化された直流電力を基に発振して変圧トランスの１次側コイルに供給するスイッチングＩＣと、この変圧トランスの２次側に接続された２次側回路に異常が生じた場合に、１次側のスイッチングＩＣの発振を停止させる発振停止信号を生じさせ、かつ、上記外部電源からの電力供給が停止した後、この発振停止信号を一定時間保持させる第２のコンデンサを備えたラッチ回路部を有するスイッチング電源装置において、上記ラッチ回路がスイッチングＩＣの発振を停止させ、かつ、上記商用電源からの電力供給が絶たれた状態で、上記第１のコンデンサの電荷量が上記スイッチングＩＣの作動に必要な最低限の電荷量を下回った場合に、上記第２のコンデンサを放電させ、発振停止状態を解除する強制放電回路部を設けたことを特徴とする。
【０００８】
上記第１のコンデンサの電荷量が上記スイッチングＩＣの作動に必要な最低限の電荷量を下回った状態では、スイッチングＩＣの発振を停止させておく必要がなくなるので、発振停止状態を保持するための第２のコンデンサを強制的に放電させて発振停止状態を解除するようにした。
【０００９】
なお、上記第２のコンデンサの電荷量が上記最低限の電荷量を下回った場合には、第１のコンデンサを放電させる必要は必ずしもないが、上記強制放電回路部は、上記第２のコンデンサを放電させる際に、合わせて上記第１のコンデンサを放電させるようにしてもよい。
【発明の効果】
【００１０】
以上の説明から明らかなように、本発明は、異常発生により外部の商用電源からの電力供給を停止させた後、異常解消した後で再び外部の商用電源からの電力供給を再開した場合に、速やかに作動することのできるスイッチング電源装置を提供することができる。
【図面の簡単な説明】
【００１１】
【図１】本発明の一実施の形態の構成を示す回路図
【発明を実施するための形態】
【００１２】
本図は、本発明によるスイッチング電源装置の１次側の回路を示している。１は外部の商用電源であり、この商用電源１から１００ボルトの交流電力が供給される。その交流電力はダイオードブリッジ２によって整流された後、第１のコンデンサ２１によって平滑化された直流電力となる。その直流電力をＦＥＴ２２をオンオフさせることによって、変圧トランス３の１次側コイル３１に断続的に流す。
このＦＥＴ２２はスイッチングＩＣ４によって本オンオフが切り替えられるように構成されている。
【００１３】
５はラッチ回路であり、図示しない２次側にショート故障などの異常が生じると、同じく図示しないフォトカプラの構成要素の一つであるＬＥＤが発光し、そのＬＥＤと対をなすフォトトランジスタ５１がオンになる。すると、トランジスタ６がオンになり、スイッチングＩＣ４のフィードバック端子４１がグランドに落ちる。すると、スイッチングＩＣ４は発振を停止し、その結果、２次側に電力が発生しない状態になる。
【００１４】
２次側の異常が解消されると、上記ＬＥＤは消灯し、その結果フォトトランジスタ５１はオフに戻るが、ラッチ回路５に第２のコンデンサ５２を設け、フォトトランジスタ５１がオフに戻った後も継続してトランジスタ６のオンの状態を維持する。
【００１５】
上記異常が生じると、最初に上記商用電源１からの交流電力の供給を停止し、その状態で異常の原因を解消し、異常の原因が解消された後に再び商用電源１からの電力供給を再開する。
【００１６】
このように、外部の商用電源１からの電力供給を停止している間に、第１のコンデンサ２１および第２のコンデンサ５２は共に徐々に放電していき、充電されている電荷量が徐々に減少していく。第１のコンデンサ２１の電荷量が十分に残っている状態で第２のコンデンサ５２の電荷が少なくなり、スイッチングＩＣ４に対する発振停止状態が解除されると、外部からの電力供給がされていない状態であっても、第１のコンデンサ２１に残ってる電荷によってスイッチングＩＣ４が作動してしまう。そのため、第１のコンデンサ２１の電荷量が、スイッチングＩＣ４の作動に必要な最低限の電荷量を下回るまでは、第２のコンデンサ５２の電荷量が十分に保持されるように設計されている。
【００１７】
ところが、異常の原因が解消され、再び商用電源１からの電力供給が再開されても、第２のコンデンサ５２の電荷が残っており、スイッチングＩＣ４に対する発振停止状態が維持されたままの状態では、スイッチング電源装置を再作動させることができない。そこで、強制放電回路部７を設けた。
【００１８】
この強制放電回路部７には、第２のコンデンサ５２を放電させるための２つのトランジスタ７１，７２が直列に接続されている。上記トランジスタ６がオンの状態でスイッチングＩＣ４が発振停止状態では、トランジスタ６と同じくトランジスタ７１もオンの状態になっている。ただし、その状態ではトランジスタ７２がオフの状態であるため、第２のコンデンサ５２は放電されない。
【００１９】
第１のコンデンサ２１の電荷量がスイッチングＩＣ４の作動に必要な最低限の電荷量を下回ると、ＦＥＴ７３がオフになり、そのためトランジスタ７２がオンになる。すると、トランジスタ７１およびトランジスタ７２が共にオンになるため、第２のコンデンサ５２が放電される。なお、このとき大第１のコンデンサ２１も合わせて放電するように構成した。
【００２０】
このように、２つのコンデンサ２１，５２を共に強制的に放電させた状態で再び外部の商用電源１からの電力供給を再開させると、直ちにスイッチング電源装置は作動を再開する。
【００２１】
なお、本発明は上記した形態に限定されるものではなく、本発明の要旨を逸脱しない範囲内において種々の変更を加えてもかまわない。
【符号の説明】
【００２２】
１  商用電源
２  ダイオードブリッジ
３  変圧トランス
４  スイッチングＩＣ
５  ラッチ回路
７  強制放電回路部
２１  第１のコンデンサ
５２  第２のコンデンサ
【図１】
2019103290.tif 000003